(57)【要約】【課題】  切断予定部を強固に補強できてなおかつ切断予定部の切断作業を容易に行い得る遊技機用制御基板の収納ケースを提供すること。【解決手段】  収納ケースの開封時に切断される複数のロック機構２０において、カバー体側連結部２６には、ボルト孔４２が設けられている。複数のロック機構２０は、互いのボルト孔４２の中心軸線が同一となるように配置されている。一つのロック機構２０のボルト孔４２にはボルト４０が螺入されてカバー体側連結部２６を補強している。ロック状態にある収納ケースを開封すべく、カバー体側連結部２６を切断する場合には、この切断対象となるカバー体側連結部２６のボルト孔４２から、隣接するカバー体側連結部２６のボルト孔４２へとボルト４０を螺進させ、切断対象となるカバー体側連結部２６のボルト孔４２を空にするとともに、次回の収納ケースの開封時に切断対象となる隣接するカバー体側連結部２６のボルト孔４２に、ボルト４０を螺入させる。【選択図】  図１
2010279848.tif 000002
【特許請求の範囲】
【請求項１】
カバー体と、
該カバー体に組み付けられて該カバー体とで遊技機用制御基板を収容するための収容空間を区画形成するベース体と、
前記カバー体と前記ベース体との組付状態において、前記カバー体と前記ベース体とを相互に拘束することで、前記カバー体と前記ベース体とが前記収容空間を開放する方向へ相対移動することを規制するロック機構と
を備え、
前記ロック機構は、前記カバー体及び前記ベース体のうちの一方の外周縁部に切断予定部を介して設けられた第一筒部と、前記カバー体及び前記ベース体のうちの他方の外周縁部に設けられた第二筒部と、軸状のロック部材とで構成され、
前記第一筒部には第一ロック孔が設けられているとともに、前記第二筒部には第二ロック孔が設けられ、
前記カバー体と前記ベース体との前記組付状態において、前記第一ロック孔と前記第二ロック孔とは互いの中心軸線が同一となって前記第一ロック孔の内空間と前記第二ロック孔の内空間とが連続し、
前記組付状態にて前記第一ロック孔の前記内空間と前記第二ロック孔の前記内空間とに跨って前記ロック部材を挿入配置することで、前記カバー体と前記ベース体とが前記収容空間を開放する方向へ相対移動することを規制し、
該規制状態にて前記収容空間を開放する際には、前記切断予定部を切断して、前記第一筒部を前記カバー体及び前記ベース体のうちの前記一方から切り離すようにした遊技機用制御基板の収納ケースにおいて、
前記切断予定部には挿入孔が設けられ、該挿入孔には補強部材が螺入又は圧入により着脱可能に挿入されて前記切断予定部を補強することにより前記切断予定部の切断を困難にし、
前記ロック機構は複数が備えられ、これら複数の前記ロック機構は前記挿入孔の中心軸線が同一となるように配置され、前記挿入孔は貫通孔よりなり、前記補強部材は隣接する前記挿入孔間の距離よりも長い軸状をなしており、
前記切断予定部を切断する際には、該切断予定部の前記挿入孔から隣接する前記切断予定部の前記挿入孔へと前記補強部材を進めることで、前記切断の対象となる前記切断予定部の前記挿入孔を空にするとともに、次回に切断の対象となる前記切断予定部の前記挿入孔に前記補強部材を挿入させることを特徴とする遊技機用制御基板の収納ケース。
【発明の詳細な説明】
【技術分野】
【０００１】
本発明は、遊技機の遊技制御を行う回路基板を収容するために用いられる収納ケースに関するものである。
【背景技術】
【０００２】
パチンコ機などの遊技機は、遊技を制御するＣＰＵ等が実装された各種の制御基板を備えている。一般に、遊技機用制御基板は、カバー体とベース体とからなる収納ケースに収容されている。しかし、収納ケースが開封され、遊技機用制御基板が不正なものに交換されるという行為が行われることがあり、それを防ぐためのロック機構が種々提案されている。
【０００３】
たとえば特許文献１の技術では、収納ケースのロック機構を、カバー体と一体形成された有底筒部と、ベース体と一体形成された封止受部材と、有底筒部を封止受部材に止着するワンウェイネジとで構成している。このような構成において収納ケースを開封する場合には、カバー体と有底筒部との連結部（切断予定部）をニッパ等の工具で切断するため、開封の跡が残るので、不正行為を発見することが容易となる。
【先行技術文献】
【特許文献】
【０００４】
【特許文献１】特開２００１−２９３２１５号公報
【発明の開示】
【発明が解決しようとする課題】
【０００５】
しかし、前記ロック機構では、不正開封の痕跡が残ることを何らためらわなければ、容易に収納ケースを開封することが可能なため、遊技機用制御基板の不正な交換を防ぐことが困難であった。
そこで、切断予定部を肉厚にするなどして補強して切断し難くし、不正作業の時間を長引かせることも考えられるが、正規開封の際の切断作業も困難となるジレンマがつきまとう。
本発明の目的は、切断予定部を強固に補強できてなおかつ切断予定部の切断作業を容易に行い得る遊技機用制御基板の収納ケースを提供することにある。
【課題を解決するための手段】
【０００６】
前記目的を達成するために請求項１の発明では、収納ケースの開封時に切断されるロック機構の切断予定部に挿入孔が設けられ、該挿入孔には補強部材が螺入又は圧入により着脱可能に挿入されて前記切断予定部を補強している。したがって、補強部材が挿入された状態では切断予定部の切断が困難となり、また補強部材を外して切断予定部を切断するのには全体の作業として手間がかかるため、不正行為の防止に有効となる。また、このように切断予定部を補強しても、補強部材を外せば切断予定部を切断し易くなるので、正規の開封時における切断作業に時間がかかることを防止できる。
【０００７】
さらに、請求項１の発明では、前記ロック機構は複数が備えられ、これら複数の前記ロック機構は前記挿入孔の中心軸線が同一となるように配置され、前記挿入孔は貫通孔よりなっており、前記補強部材は隣接する前記挿入孔間の距離よりも長い軸状をなしている。そして、前記切断予定部を切断する際には、該切断予定部の前記挿入孔から隣接する前記切断予定部の前記挿入孔へと前記補強部材を進めることで、前記切断の対象となる前記切断予定部の前記挿入孔を空にするとともに、次回に切断の対象となる前記切断予定部の前記挿入孔に前記補強部材を挿入させる。
【０００８】
このように、複数のロック機構間で補強部材を共用することで、部品点数を少なくすることが出来るし、切断の対象となるロック機構から補強部材を外す作業と同時に、次回に切断の対象となるロック機構へと補強部材を挿入する作業を行うことができ、作業手間を大幅に省くことができる。
【発明を実施するための最良の形態】
【０００９】
以下、本発明をパチンコ機用制御基板の収納ケースに具体化した第１及び第２実施形態について、図面を参照しつつ詳細に説明する。なお、図１〜図５は第１実施形態の収納ケースを示し、図６及び図７は第２実施形態の収納ケースを示す。
【００１０】
（第１実施形態）
図１は収納ケースの平面図であり、図２は収納ケースの側面図である。これら図面に示すように収納ケースは、平面視矩形状をなすカバー体１６と、カバー体１６に組み付けられてカバー体１６とで収容空間１１を区画形成する平面視矩形状をなすベース体１２とから構成されている。収納ケースは、ベース体１２をもってパチンコ機本体（図示しない）に取り付けられている。収容空間１１には制御基板５０が収容されている。制御基板５０は、プリント基板上にＣＰＵ、ＲＯＭ、ＲＡＭ等の複数の電気・電子部品が実装されてなるものであり、パチンコ機の動作の制御、詳しくは大当り抽選や賞球払い出しに関する制御を行なうためのものである。
【００１１】
図３及び図４は、収容空間１１が開放又は閉塞される途中の状態を示す図である。これら図面に示すように、カバー体１６において長辺２辺（図３の上下辺）側には、該辺に沿って延びるようにして、ガイド凸部１６ａ，１６ｂがそれぞれ形成されている。ベース体１２の長辺２辺（図３の上下辺）側には、該辺に沿って延びるようにして、ガイド凹部１２ａ，１２ｂがそれぞれ形成されている。カバー体１６とベース体１２とは、ガイド凸部１６ａ，１６ｂがガイド凹部１２ａ，１２ｂに凹凸嵌合して案内されることで、図中の矢印方向へのスライド移動についてのみ、相対移動が可能となっている。
【００１２】
たとえば、図３及び図４の状態から、カバー体１６をベース体１２に対して矢印左方向にスライドさせると、カバー体１６がベース体１２に対して完全に組み付けられて図１及び図２の状態となり（以下この状態を組付状態とする）、この状態では収容空間１１が完全に閉塞されることとなる。逆に、この組付状態からカバー体１６をベース体１２に対して矢印右方向にスライドさせると、カバー体１６とベース体１２との組付状態が解除され、収容空間１１が徐々に開放されることとなる。
【００１３】
ここで、カバー体１６とベース体１２とを単にスライド係合するのみでは、簡単に収容空間１１が開放されてしまう。したがって、収納ケースには、収容空間１１が簡単に開放されないように、換言すれば組付状態にあるカバー体１６とベース体１２とが簡単に相対スライド移動しないように、この相対スライド移動を規制（ロック）するためのロック機構２０が備えられている。なお、ロック機構２０は複数（本実施形態では４つ）が備えられており、収納空間１１の複数回の開閉及びロックが可能となっている。以下、これらロック機構２０について詳細に説明する。
【００１４】
図３及び図４に示すように、ベース体１２の外周縁部において一方の短辺（図３では左側の短辺）側に位置する部分には、複数（本実施形態では４個）のベース体側連結部２２が、短辺に沿って所定間隔で突設されている。各ベース体側連結部２２の先端には、第二筒部としてのベース体側筒部２４が設けられている。各ベース体側筒部２４の中心部には、第二ロック孔としてのベース体側ロック孔３２が設けられている。ベース体側ロック孔３２は有底状をなしている。ベース体側ロック孔３２の内面には雌ネジ面が刻設されている（図示しない）。
【００１５】
カバー体１６の外周縁部において一方の短辺（図３では左側の短辺）側に位置する部分には、複数（本実施形態では４個）のカバー体側連結部２６が、短辺に沿って所定間隔で突設されている。各カバー体側連結部２６の先端には、第一筒部としてのカバー体側筒部２８が設けられている。各カバー体側筒部２８の中心部には、第一ロック孔としてのカバー体側ロック孔３４が貫設されている。カバー体側ロック孔３４の内面には雌ネジ面が刻設されている（図示しない）。
【００１６】
図５は図１の１−１線断面図であって、同図に示すように、ベース体側筒部２４とカバー体側筒部２８とは、ベース体１２とカバー体１６との組付状態において、相互に重なり合って一つの柱状をなす位置関係にある。この組付状態にてカバー体側ロック孔３４とベース体側ロック孔３２とは、互いの中心軸線が同一となって内空間が連続する。
【００１７】
ここにおいて、組付状態にあるベース体１２とカバー体１６との相対スライド移動をロックしたい時には、一つのロック機構２０を機能させる。すなわち、このロック機構２０において、軸状のロック部材としてのワンウェイネジ３０をカバー体側ロック孔３４から挿入するとともに、挿入端側がベース体側ロック孔３２へと到達するまで螺進させる。このように、カバー体側ロック孔３４とベース体側ロック孔３２とに跨ってワンウェイネジ３０を挿入配置することで、ベース体側筒部２４とカバー体側筒部２８との両者の軸ズレ方向（図５の左右方向）への相対移動がワンウェイネジ３０の介在によって阻害されることとなる。よって、ベース体側筒部２４とカバー体側筒部２８とが軸ズレ方向へ相対移動不能に相互に拘束され、ひいてはベース体１２とカバー体１６とが収容空間１１を開放する方向へ相対スライド移動不能に固定されることとなる。
【００１８】
なお、収納ケースのロック状態にて、ワンウェイネジ３０は一方向にのみ螺進が可能であるため、ワンウェイネジ３０がカバー体側ロック孔３４の側から抜かれてロック状態が解除されることはない。また、ベース体側ロック孔３２は有底であるため、ワンウェイネジ３０がベース体側ロック孔３２の側から抜かれてロック状態が解除されることはない。
【００１９】
次に、ベース体１２とカバー体１６とのロック状態を解除する場合には、ロック能力を発揮しているロック機構２０について、カバー体側連結部２６（切断予定部）をニッパ等の工具を用いて切断することで、カバー体側筒部２８をカバー体１６から切り離す。したがって、カバー体１６とベース体１２との相対スライド移動が、ワンウェイネジ３０によって阻害されることがなくなり、収容空間１１を開放することが可能となる。
【００２０】
なお、収容空間１１を再度閉塞してカバー体１６とベース体１２とをロック状態とする場合には、別のロック機構２０（カバー体側連結部２６が切断されていないロック機構２０）を利用する。
【００２１】
さて、図１及び図２に示すように、本実施形態の収納ケースは、各ロック機構２０のカバー体側連結部２６に、挿入孔としてのボルト孔４２がそれぞれ貫設されている。各ボルト孔４２は、各カバー体側連結部２６において、前述した切断時に形成される切断面を含む平面Ｓ上に中心軸線が存在するように配置されている。ボルト孔４２には、補強部材としての金属製のボルト４０がそれぞれ螺入されている。なお、隣接するカバー体側連結部２６に両側が囲まれたカバー体側連結部２６については、当該カバー体側連結部２６（ボルト孔４２）へのボルト４０の挿入作業が、隣接するカバー体側連結部２６によって阻害される可能性がある。そこで本実施形態においては、ボルト４０の長さＬをカバー体側連結部２６の配置間隔Ｗよりも小さく設定することで、隣接するカバー体側連結部２６との間からボルト４０を挿入できるようにしてある。
【００２２】
このように、ボルト孔４２にボルト４０が螺入された状態にあるカバー体側連結部２６は、通常の工具では切断が困難となっている。これは、ボルト４０がカバー体側連結部２６を補強して切断に対して強固としていること、さらにはこの状態で無理に切断しようとしてもボルト４０を中心軸線に沿って縦に切断しなくてはならず、たとえばボルト４０を横に切断するよりも困難な作業となること、が要因となっている。
【００２３】
したがって、収納ケースを開封する際には、ボルト４０をカバー体側連結部２６から取り外した後に、カバー体側連結部２６のボルト孔４２部分を工具で切断することとなる。ボルト４０が取り外されたカバー体側連結部２６は、ボルト孔４２の形成による薄肉化に起因した脆弱性が露呈され、よって切断が容易となっている。
【００２４】
以上のように本実施形態によれば、ボルト４０が挿入された状態ではカバー体側連結部２６の切断が困難となり、またボルト４０を外してカバー体側連結部２６を切断するのには全体の作業として手間がかかるため、不正行為の防止に有効となる。また、このようにカバー体側連結部２６を補強しても、ボルト４０を外せばカバー体側連結部２６を切断し易くなるので、正規の開封時における切断作業に時間がかかることを防止できる。
【００２５】
（第２実施形態）
本実施形態においては、複数のロック機構２０間でボルト４０を共用するようにしている。すなわち、図６及び図７に示すように、複数のロック機構２０は、互いのボルト孔４２の中心軸線が同一となるように配置されている。ボルト４０としては、無頭のもの（換言すればネジ部よりも突出する部分が無いもの）が用いられている。また、ボルト４０の長さＬは、カバー体側連結部２６の配置間隔Ｗよりも長い。
【００２６】
そして、ロック状態にある収納ケースを開封すべく、カバー体側連結部２６を切断する場合には、この切断対象となるカバー体側連結部２６のボルト孔４２から、隣接するカバー体側連結部２６のボルト孔４２へとボルト４０を螺進させる。これにより、切断対象となるカバー体側連結部２６のボルト孔４２を空にするとともに、次回の収納ケースの開封時に切断対象となる隣接するカバー体側連結部２６のボルト孔４２に、ボルト４０を螺入させる。
【００２７】
このように、複数のロック機構２０間でボルト４０を兼用することで、部品点数を少なくすることが出来るし、切断の対象となるロック機構２０からボルト４０を外す作業と同時に、次回に切断の対象となるロック機構２０へとボルト４０を螺入する作業を行うことができ、作業手間を大幅に省くことができる。
【００２８】
本発明は上記第１及び第２実施形態に限定されるものではなく、たとえばロック部材として公知のスプリングピンを採用したり、補強部材として圧入ピンを用いる等、様々な態様でも実施可能である。
【００２９】
また、カバー体側連結部２６からボルト孔４２及びボルト４０を削除するとともに、ベース体側連結部２２にボルト孔及びボルトを設けるようにしてもよい。この場合、ベース体側筒部２４を第一筒部として、ベース体側ロック孔３２を第一ロック孔として、カバー体側筒部２８を第二筒部として、カバー体側ロック孔３４を第二ロック孔として、ベース体側連結部２２を切断予定部として、それぞれ把握できる。
さらに、所謂パチスロと呼ばれるスロットマシーンにおいて、その制御基板の収納ケースに本発明を適用してもよい。
【００３０】
上記実施形態から把握できる技術的思想について記載すると、前記挿入孔は、前記切断予定部において切断時に形成される切断面を含む平面上に中心軸線が存在するように配置されていることを特徴とする請求項１に記載の遊技機用制御基板の収納ケース。このようにすれば、補強部材を挿入したままの状態で切断予定部を切断しようとすると、補強部材を中心軸線に沿って縦に切断しなくてはならず、たとえば補強部材を横に切断するよりも困難な作業となる。
【図面の簡単な説明】
【００３１】
【図１】第１実施形態の基板収納ケースを示す平面図。
【図２】収納ケースの側面図。
【図３】開閉途中にある収納ケースを示す平面図。
【図４】開閉途中にある収納ケースを示す側面図。
【図５】図１の１−１線断面図。
【図６】第２実施形態の収納ケースを示す平面図。
【図７】収納ケースの作用を説明する図。
【符号の説明】
【００３２】
１１…収容空間、１２…ベース体、１６…カバー体、２０…ロック機構、２２…ベース体側連結部、２４…ベース体側筒部、２６…カバー体側連結部、２８…カバー体側筒部、３０…ワンウェイネジ、３２…ベース体側ロック孔、３４…カバー体側ロック孔、４０…ボルト、４２…ボルト孔、５０…制御基板。
【図１】
2010279848.tif 000003
【図２】
2010279848.tif 000004
【図３】
2010279848.tif 000005
【図４】
2010279848.tif 000006
【図５】
2010279848.tif 000007
【図６】
2010279848.tif 000008
【図７】
2010279848.tif 000009